(57)【要約】【課題】着座したまま温浴可能であり、使用者の座高及びシャワー設備の高さ調整機能の影響を受けることなく、全身を温められるシャワー装置の提供。【解決手段】シャワー機能付き椅子６１と、着座者の首から上の部分を除く全体及びシャワー機能付き椅子６１を覆う着脱可能な囲い５１と、を備えるシャワー装置１０１であって、囲い５１は上部囲い５２と下部囲い５３とを有し、上部囲い５２は下部囲い５３の上方開口部５３ｃを覆い、下部囲い５３の上端部５３ｂは上部囲い５２の下端部５２ａよりも高い位置にあり、下部囲い５３の下端部５３ａはシャワー機能付き椅子が設置された床面７１に接する、シャワー装置。【選択図】図１
2020199031.tif 000002
【特許請求の範囲】
【請求項１】
シャワー機能付き椅子と、着座者の首から上の部分を除く部分及び前記シャワー機能付き椅子を覆う囲いと、を備えるシャワー装置であって、
前記囲いは上部囲いと下部囲いとを有し、前記上部囲いは前記下部囲いの上方開口部を覆い、
前記下部囲いの上端部は前記上部囲いの下端部よりも高い位置にあり、
前記下部囲いの下端部は前記シャワー機能付き椅子が設置された床面に接する、
シャワー装置。
【請求項２】
前記下部囲いは前記シャワー機能付き椅子の側方に位置する部材によって保持される、請求項１に記載のシャワー装置。
【請求項３】
前記下部囲いが前記床面から起立する板材によって構成される、請求項１又は２に記載のシャワー装置。
【請求項４】
前記シャワー機能付き椅子は、座部とバックレストを含む椅子本体と、前記バックレストの上方において前記椅子本体に一端が支持された一対のシャワーアームと、を備え、
前記一対のシャワーアームは、前記バックレストの上方から前方に延び、次いで下方に向かって延び、着座者の上半身に向けて水を噴射するノズルを有する、
請求項１〜３のいずれか１項に記載のシャワー装置。
【発明の詳細な説明】
【技術分野】
【０００１】
本発明は、シャワー装置に関する。
【背景技術】
【０００２】
入浴の目的は、洗体、洗髪を行い、身体の汚れを除去することと、身体を温めて血流を促進させる（温浴）ことである。
一般的には、浴室の洗い場でシャワーを使いながら身体の汚れを除去し、浴槽の湯（温水）に浸かって身体を温める。
【０００３】
身体機能が低下して浴槽に入るのが困難である場合には、洗い場でシャワーのみで身体を温めるシャワー浴で済ますことがある。しかし、シャワーホースの先端に設けられたシャワーヘッドからの湯を浴びるシャワー浴では、十分に身体を温めることができない。
このような事情から、例えば、特許文献１〜３に開示されているように、着座姿勢でシャワーを浴びることができるシャワー装置が開発されている。
【０００４】
特許文献１には、入浴者が着座する椅子及び着座した入浴者の両側に位置するとともに上下可動自在なアームを設けたシャワー装置本体と、前記シャワー装置本体とは別のハンドシャワーと、温水の供給を前記シャワー装置本体と前記ハンドシャワーのいずれかに切り替える切替弁とを具備し、前記アームには前記切替弁を介して前記アーム内に送給された温水を噴霧する噴霧ノズルを複数配置し、さらに前記噴霧ノズルは、前記温水の噴出孔に至る通路に３個の傾斜した旋回部を有し、前記噴出孔から前記温水を旋回させて噴霧させるようにしたシャワー装置が記載されている。
【０００５】
特許文献２には、椅子の背後に位置し、少なくとも温水の通路と複数のシャワー噴出部を有する背面体と、前記背面体の両側に位置すると共に、前記背面体と回動自在かつ折り畳み自在に連結され、少なくとも温水の通路と複数のシャワー噴出部を有する一対の側面体とからなり、背面体、側面体、及び椅子に座った使用者の首から上部分を除く全体を覆うカバーシートを着脱自在に設けてなるシャワー装置が記載されている。
【０００６】
特許文献３には、環状に配置した内側に微細な噴射穴を持ち、中心部に向かって噴射する環状シャワーを設け、環状シャワーの外側全体を取り囲むシャワーカーテンを設け、環状シャワーの保持、折りたたみ及び給水、給湯のための分配保持器と接続口とを設け、環状シャワーの高さ調整機構とシャワー取り付け固定板とを設け、接続口と混合栓とを接続する、シャワー装置が記載されている。
【先行技術文献】
【特許文献】
【０００７】
【特許文献１】特許第３８０４１５４号公報
【特許文献２】特開平９−２７１５０８号公報
【特許文献３】特開２０００−０７９１５２号公報
【発明の概要】
【発明が解決しようとする課題】
【０００８】
しかし、本発明者らが検討したところ、特許文献１〜３に記載されたシャワー装置では、充分な温浴効果を得られない可能性が認識された。
特許文献１に記載されたシャワー装置は、足先及び上腕等のシャワーの湯が届きにくい部位は充分な温浴効果を得られない。
特許文献２に記載されたシャワー装置は、シャワー設備全体を覆うカバーシートを設けることで温浴効果を高めることができるが、カバーシートは一体形状かつ機器に固定されているため、シャワー装置の高さによっては足元に隙間が開き、充分な温浴効果を得られない。
特許文献３に記載されたシャワー装置は、シャワーカーテン上部が開放されているため、熱の発散を完全に防ぐことができず、特許文献２に記載されたシャワー装置のような温浴効果は期待できない。また、シャワーカーテンを取り付けている環状シャワーは高さを調整できるため、環状シャワーの高さによっては、床とシャワーカーテンの下端との間に隙間が開き、冷気が侵入する可能性がある。
【０００９】
そこで、本発明は、着座したまま温浴可能であり、使用者の座高及びシャワー設備の高さ調整機能の影響を受けることなく、全身を温められるシャワー装置を提供することを課題とする。
【課題を解決するための手段】
【００１０】
上記課題は以下の構成によって解決される。
［１］  シャワー機能付き椅子と、着座者の首から上の部分を除く部分及び前記シャワー機能付き椅子を覆う囲いと、を備えるシャワー装置であって、前記囲いは上部囲いと下部囲いとを有し、前記上部囲いは前記下部囲いの上方開口部を覆い、前記下部囲いの上端部は前記上部囲いの下端部よりも高い位置にあり、前記下部囲いの下端部は前記シャワー機能付き椅子が設置された床面に接する、シャワー装置。
［２］  前記下部囲いは前記シャワー機能付き椅子の側方に位置する部材によって保持される、［１］に記載のシャワー装置。
［３］  前記下部囲いが前記床面から起立する板材によって構成される、［１］又は［２］に記載のシャワー装置。
［４］  前記シャワー機能付き椅子は、座部とバックレストを含む椅子本体と、前記バックレストの上方において前記椅子本体に一端が支持された一対のシャワーアームと、を備え、前記一対のシャワーアームは、前記バックレストの上方から前方に延び、次いで下方に向かって延び、着座者の上半身に向けて水を噴射するノズルを有する、［１］〜［３］のいずれか１つに記載のシャワー装置。
【発明の効果】
【００１１】
本発明によれば、着座したまま温浴可能であり、使用者の座高及びシャワー設備の高さ調整機能の影響を受けることなく、全身を温められるシャワー装置を提供できる。
【図面の簡単な説明】
【００１２】
【図１】図１は、本発明の一実施形態のシャワー装置の概略を示す斜視図である。
【図２】図２は、本発明の一実施形態のシャワー装置における囲いを表す斜視図である。
【図３】図３は、本発明の他の実施形態のシャワー装置における囲いを表す斜視図である。
【図４】図４は、シャワー機能付き椅子の一実施形態を表す斜視図である。
【図５】図５は、シャワー機能付き椅子の他の実施形態を表す斜視図である。
【発明を実施するための形態】
【００１３】
数値範囲を示す「〜」は、その前後に記載された数値を下限値および上限値として含むことを意味する。
【００１４】
［シャワー装置］
以下では、図を適宜参照しながら、本発明のシャワー装置の実施の形態を説明する。
図１は、本発明の一実施形態のシャワー装置の概略を示す図である。
図１に示すように、本実施形態のシャワー装置１０１は、シャワー機能付き椅子６１と、着座者の首から上の部分を除く全体及び前記シャワー機能付き椅子６１を覆う着脱可能な囲い５１と、を備える。
囲い５１は、上部囲い５２と下部囲い５３とを有する。
上部囲い５２は、下部囲い５３の上方開口部５３ｃを覆う。
下部囲い５３の上端部５３ｂは、上部囲い５２の下端部５２ａよりも高い位置にある。
下部囲い５３の下端部５３ａは、シャワー機能付き椅子６１が設置された床面７１に接する。
【００１５】
＜シャワー機能付き椅子＞
シャワー機能付き椅子は、座部とバックレストを含む椅子本体と、前記バックレストの上方において前記椅子本体に一端が支持された一対のシャワーアームと、を備え、前記一対のシャワーアームは、前記バックレストの上方から前方に延び、次いで下方に向かって延びるアーム部を有し、前記アーム部には、着座者の上半身、さらには大腿部までに向けて水を噴射するノズルを有することが好ましい。
【００１６】
前記シャワーアームは、前記椅子本体に上下方向に回動可能に支持されていることが好ましい。この構成であると、着座者の体格に合わせてシャワーアームの高さを調節できる。
【００１７】
前記椅子本体には中空の通路構成体が設けられ、前記通路構成体には水の供給を受ける注水口が設けられることが好ましい。前記通路構成体からの水を前記一対のシャワーアームに送ることができる。かかる構成によれば、共通の通路構成体から一対のシャワーアームに水を送るので、送水のための構造を簡略化できる。
前記通路構成体はバックレストの上方において左右方向に延び、前記通路構成体の左右両端に前記一対のシャワーアームがそれぞれ連結されることが好ましい。かかる構成によれば、通路構成体の構成を簡略化できる。
前記通路構成体の左右部には、着座者の肩部に水を噴射するノズルが形成されることが好ましい。かかる構成によれば、着座者の肩部に確実に水をかけることができる。
前記シャワーアームは、前記通路構成体に主継手を介して上下方向に回動可能に連結されることが好ましい。かかる構成によれば、着座者の体格に合わせてシャワーアームの高さを調節できる。
【００１８】
前記主継手は前記シャワーアームの左右方向の回動をも許容することが好ましい。かかる構成によれば、シャワーアームを左右方向に位置調節できる。
【００１９】
まず、本発明のシャワー装置において好適に使用できるシャワー機能付き椅子について、図４又は図５を参照しながら説明する。
【００２０】
図４は、シャワー機能付き椅子の一実施形態であるシャワー機能付き椅子６１を示す斜視図である。
シャワー機能付き椅子６１の椅子本体１Ａは、金属製のパイプフレーム構造からなる骨格フレーム２Ａと、座部３Ａと、バックレスト４Ａと、アームレスト５Ａと、シャワー本体６Ａとを備えている。
【００２１】
骨格フレーム２Ａは、メインフレーム１０Ａと、座部フレーム１４Ａと、左右一対の後脚フレーム１５Ａ（後脚部）と、背側フレーム１６Ａと、を備えている。
【００２２】
メインフレーム１０Ａは、メインフレーム１０Ａから斜め下に向かって延びる下行部１１Ａと、メインフレーム１０Ａから斜め上に向かって延びる上行部１３Ａと、左右の上行部１３Ａを接続する背面部（図示せず）を含み、１本の連続したパイプにより構成されている。
【００２３】
メインフレーム１０Ａの左右の下行部１１Ａ間と、左右の後脚フレーム１５Ａ間とには、それぞれ、座部フレーム１４Ａが架け渡されている。
【００２４】
背側フレーム１６Ａは、メインフレーム１０Ａの背面部（図示せず）に固定されて上方に延びる左右一対のパイプからなる背側垂直部１８を有している。
【００２５】
座部フレーム１４Ａの上にプラスチック製の座部３Ａが設置されている。座部３Ａは左右に分割され、中央に溝が設けられている。
【００２６】
メインフレーム１０Ａの背面部（図示せず）の前面にはプラスチック製のバックレスト４Ａが固定されている。
メインフレーム１０Ａには、アームレスト５Ａが上下方向に回動可能に連結されている。
背側フレーム１６Ａの背側垂直部１８の上端部には、プラスチック製のシャワー本体６Ａが支持されている。
【００２７】
シャワー本体６Ａに付設されたシャワー機能について説明する。図４に示すように、背側フレーム１６の背側垂直部１８の上端部には、シャワー本体６Ａが位置する。
シャワー本体６Ａの左右両端には、自在継手３５（主継手）を介してシャワーアーム３０Ａが上下方向に回動可能に連結されている。
【００２８】
一対のシャワーアーム３０Ａの使用時の姿勢において、シャワーアーム３０Ａはバックレスト４の左右において、上方から前方に延び、次いで、下方に延びている。
【００２９】
シャワーアーム３０Ａは湯の通水路となるホースを内蔵している。シャワーアーム３０Ａには、複数のノズルが間隔をおいて形成されている。これらノズルは、椅子本体１の左右方向中央を向くように横向きに形成されている。なお、これらノズルは斜め下方を向くように形成してもよい。
【００３０】
シャワー機能付き椅子６１は、図５のシャワー機能付き椅子１６１でもよい。
図５に示すシャワー機能付き椅子１６１は、図４に示すシャワー機能付き椅子６１の変形例である。
シャワー機能付き椅子１６１の椅子本体１について説明する。
椅子本体１は金属製のパイプフレーム構造からなる骨格フレーム２と、この骨格フレーム２に取り付けられた座部３、バックレスト４、左右のアームレスト５、ネックレスト６とを備えている。
【００３１】
骨格フレーム２は、左右一対の側部フレーム１０と、座部フレーム１４と、左右一対の後脚フレーム１５（後脚部）と、背側フレーム１６とを備えている。
【００３２】
各側部フレーム１０は、前後方向に延びる水平部１１と、水平部１１の前端から斜め下方に延びる前脚部１２と、水平部１１の後端から略垂直に上方に延びる垂直部１３とを有し、一本の連続したパイプにより構成されている。
【００３３】
左右の側部フレーム１０の水平部１１間には、座部フレーム１４が架け渡されている。座部フレーム１４の後部には、斜め下方に延びる後脚フレーム１５が前後方向に回動可能に連結されている。
【００３４】
背側フレーム１６は、左右の側部フレーム１０の垂直部１３の上端部間に架け渡された左右に延びる中空の背側水平部（図示せず）と、この背側水平部に固定されて上方に延びる左右一対のパイプからなる背側垂直部１８とを有している。
背側水平部は継手１９を介して側部フレーム１０の垂直部１３に回動可能に連結されている。背側水平部の内部空間は、継手１９を介して側部フレーム１０の内部空間と連通している。背側垂直部１８の内部空間は背側水平部の内部空間と連通している。
【００３５】
座部フレーム１４の上にプラスチック製の座部３が設置されている。一対の側部フレーム１０の水平部１１は、この座部３の左右縁部の下側に配置されている。座部３には水抜き穴が形成されている。
背側フレーム１６の前面にはプラスチック製のバックレスト４が固定されている。
側部フレーム１０の垂直部１３の上端部には、継手１９を介してアームレスト５が上下方向に回動可能に連結されている。
背側フレーム１６の背側垂直部１８の上端部には、プラスチック製のネックレスト６が支持されている。浴槽での入浴の代わりにこの椅子でシャワーを浴びる場合、座位の時間が１０分程度と長くなり、首への負担が大きくなる。ネックレスト６があることで、高齢者や要介助者であっても、長時間、座位姿勢を保持できる。
【００３６】
骨格フレーム２に付設されたシャワー機能について詳述する。図５に示すように、背側フレーム１６の背側垂直部１８の上端部には、バックレスト４の上方において左右方向に延びる上端水平パイプ２０（通路構成体；送水手段）が連結されている。この上端水平パイプ２０の内部空間は背側垂直部１８の内部空間に連通している。
上端水平パイプ２０の左右部には、斜め（前方かつ下方）を向くノズル２０ａがそれぞれ形成されている。
【００３７】
上端水平パイプ２０の左右両端には、自在継手３５（主継手）を介してシャワーアーム３０が上下方向、左右方向に回動可能に連結されている。
【００３８】
一対のシャワーアーム３０の使用時の姿勢において、シャワーアーム３０は、バックレスト４の左右において、前方に延びている。
【００３９】
シャワーアーム３０は先端が閉じられたパイプからなり、その内部空間は自在継手３５を介して上端水平パイプ２０の内部空間に連通している。
シャワーアーム３０には、複数のノズルが間隔をおいて形成されている。これらノズルは、椅子本体１の左右方向中央を向くように横向きに形成されている。これらノズルは斜め下方を向くように形成してもよい。
【００４０】
側部フレーム１０の前脚部１２の下端部には、下部シャワーアーム４０が下部継手４５を介して前後方向に回動可能に連結されている。この下部シャワーアーム４０は先端が閉塞されたパイプからなり、その内部空間は下部継手４５を介して、側部フレーム１０の内部空間と連通している。
下部シャワーアーム４０は、鈍角のＬ字形をなし、使用時姿勢において前脚部１２の下端部から前方に延びる第１部分４１と、この第１部分４１の先端から斜め上方に延びる第２部分４２とを有している。第２部分４２には、複数例えば３つのノズル４２ａが間隔をおいて形成されている。これらノズル４２ａは、椅子本体１の左右方向中央を向くように横向きに形成されている。
＜囲い＞
囲いの実施形態について、図２又は図３を参照しながら説明する。ただし、本発明のシャワー装置に用いる囲いは、後述する実施形態に限定されるものではなく、本発明の要旨を逸脱しない限り、種々の変形が可能である。
【００４１】
図２（Ａ）及び図２（Ｂ）は、本発明のシャワー装置に用いる囲いの一実施形態を表す図である。
囲い５１は、上部囲い５２と、下部囲い５３と、を有する。
【００４２】
囲い５１の大きさ及び形状は、着座者の首から上の部分を除く部分及びシャワー機能付き椅子６１を覆い、かつ、囲い５１が着座者とは接触しないものであることが好ましい。温浴中に囲い５１の内面が着座者の身体に触れると、着座者に不快感を与えるため、囲い５１の内部の幅は６５〜７５ｃｍ程度が好ましい。囲い５１は、少なくとも着座者の首から上の部分を覆わないようになっていればよい。囲い５１は、着座者の手を覆っていなくてもよいし、手を囲い５１の外に出せるよう、適当なところに開口が設けられていてもよい。
【００４３】
下部囲い５３は、シャワー機能付き椅子６１の側方に位置し、シャワー機能付き椅子６１の後方から前方に伸びる部材８１によって保持されている。部材８１は、シャワー機能付き椅子６１の前方において、左右方向から中央方向に屈曲してもよい。この場合には、部材８１のシャワー機能付き椅子６１の前方に位置する部分は、上方に跳ね上げ可能とすることが好ましい。部材８１のシャワー機能付き椅子６１の前方に位置する部分を跳ね上げ可能とすることにより、入浴者がシャワー機能付き椅子６１に着座及び離脱しやすくなる。
部材８１は、床面７１から上方に立ち上がる支持部材８２によって支持されている。図２では支持部材８２は床面７１に固定されているが、これに限定されず、例えば、支持部材８２は、シャワー機能付き椅子６１に固定してもよい。
このような部材８１の具体例は、カーテンレールであるが、これに限定されない。部材８１がカーテンレールである場合には、下部囲い５３はカーテンレールに吊り下げられたシャワーカーテンであることが好ましい。また、この場合には、カーテンレールはシャワー機能付き椅子６１に対して前後方向に伸縮可能に構成してもよい。本発明のシャワー装置の非使用時に、よりコンパクトに収納可能となる。
【００４４】
下部囲い５３は、シャワー機能付き椅子６１の前方で開閉可能とすることが好ましい。被介助者（入浴者）がシャワー機能付き椅子６１に着座しやすく、介助者による介助をより行いやすくできる。本実施形態の下部囲い５３は、シャワー機能付き椅子６１の両側方から回り込み、前方で重なり、開閉部５３ｗを形成している。
【００４５】
下部囲い５３は、シャワー機能付き椅子６１を取り囲む四角筒状であり、上方に開口している（上方開口部５３ｃ）。上部囲い５２が下部囲い５３に被さることにより、下部囲い５３の上方開口部５３ｃを覆う。下部囲い５３の上端部５３ｂは、上部囲い５２の下端部５２ａよりも高い位置にある。シャワー機能付き椅子の高さを最も高くした場合であっても、下部囲い５３の上端部５３ｂは、上部囲い５２の下端部５２ａよりも高い位置に保たれる。すなわち、上部囲い５２は上下動可能に構成されている。
また、下部囲い５３の下端部５３ａは床面７１に接している。
これらの構成を採用したことにより、囲い５１の外部の空気が、下部囲い５３の上方開口部５３ｃからも、下部囲い５３と床面７１との間からも、囲い内部に侵入しにくくなり、シャワー機能付き椅子による温浴効果をより得られやすくなる。
【００４６】
下部囲い５３は、図２では、シャワーカーテン（防水性を有するカーテン）である。下部囲い５３は、従来公知のシャワーカーテンと同様の材料で構成することができる。上部囲い５２と同様に、例えば、綿、化学繊維等の布にゴム等で防水性を持たせたもの、ポリ塩化ビニル、ポリウレタン等の合成樹脂のフィルム又はシートを用いて下部囲い５３を構成することが好ましい。
【００４７】
本実施形態の下部囲い５３は、シャワーカーテンに限定されず、例えば、スクリーンを巻き取る形で垂直方向に回閉するロールスクリーン、スクリーンを波状に折り畳みながら垂直方向に開閉するブリーツスクリーン等に変更することができる。
なお、図２では下部囲い５３を四角筒状としたが、これに限定されず、例えば、円形筒状、多角筒状等にしてもよい。
【００４８】
上部囲い５２には、シャワー機能付き椅子の着座者が首から上を囲いの外に出せるように、開口部５４を有する。上部囲い５２は平面視四角形とされている。
図４又は図５に示すシャワー機能付き椅子６１を用いる場合、上部囲い５２は、シャワー機能付き椅子６１のシャワーアーム３０Ａによって保持されることが好ましい。この場合、上部囲い５２を保持するための機構を別途設ける必要がなく、本発明のシャワー装置の構造をより簡略化できる。
【００４９】
上部囲い５２は、防水性を有する材料で構成されることが好ましい。例えば、綿、化学繊維等の布にゴム等で防水性を持たせたもの、ポリ塩化ビニル、ポリウレタン等の合成樹脂のフィルム又はシートを用いて上部囲い５２を構成することが好ましい。上部囲い５２を柔軟性を有する材料で構成することが好ましい。
【００５０】
図２（Ｃ）は、本実施形態の上部囲い５２を平面に展開した状態を示す図である。
上部囲い５２は、前面部分５２Ｆ、背面部分５２Ｂ、上面部分５２Ｔ、左側面部分５２Ｌ、右側面部分５２Ｒから構成される。前面部分５２Ｆの左端５２ＦＬと左側面部分５２Ｌの前端５２ＬＦとが接合され、前面部分５２Ｆの右端５２ＦＲと右側面部分５２Ｒの前端５２ＲＦとが接合され、背面部分５２Ｂの右端５２ＢＲと右側面部分５２Ｒの後端５２ＲＢとが接合され、背面部分５２Ｂの左端５２ＢＬと左側面部分５２Ｌの後端５２ＬＢとが接合される。上面部分５２Ｔには、着座者の頭から上の部分を出す開口部５４が設けられている。
【００５１】
図２（Ｄ）は、上部囲いの変形例を平面に展開した状態を示す図である。
上部囲い５２’は、１枚の四角いシートからなり、中央部に着座者が首から上を出す開口部５４’が設けられている。四角いシートの４辺が、上部囲い５２’の下端部５２’ａである。
【００５２】
図３（Ａ）及び図３（Ｂ）は、本発明のシャワー装置に用いる囲いの他の実施形態を表す図である。
【００５３】
図３の下部囲い１５３は、床面７１から起立する板材によって構成される。下部囲い１５３は、シャワー機能付き椅子６１を取り囲む四角筒状であり、上方に開口している（上方開口部１５３ｃ）。また、下部囲い１５３は、水平方向に分割可能としてもよい。例えば、図３（Ｂ）に示す下部囲い１５３は、左側部分１５３Ｌと、右側部分１５３Ｒとに分割可能である。下部囲い１５３を左右方向に分割可能とすることにより、入浴者（被介助者）がシャワー機能付き椅子６１に着座しやすくなるとともに、介助者による介助がより行いやすくできる。また、下部囲い１５３を折り畳み可能とすることが好ましい。下部囲い１５３の非使用時には、下部囲い１５３を折り畳んだ状態で、よりコンパクトに収容できる。
【００５４】
下部囲い５３は、防水性を有するパネルで構成されることが好ましい。このようなパネルの材料としては、例えば、ポリエチレン、ポリウレタン、アクリル樹脂、ポリカーボネート等の合成樹脂が挙げられる。
なお、図３では下部囲い１５３を四角筒状としたが、これに限定されず、例えば、円形筒状、多角筒状等にしてもよい。
【００５５】
［シャワー装置の使用方法］
本発明のシャワー装置の使用方法を説明する。
図１に示すシャワー装置を用いる場合について、説明する。
通常、入浴者は要介助者であり、シャワー装置１０１の使用に際しては、介助者の介助があることが望ましい。
（１）シャワー機能付き椅子６１及び下部囲い５３を床面７１に設置する。
（２）シャワーカーテン状の下部囲い５３の開閉部５３ｗを開け、入浴者をシャワー機能付き椅子６１の座面に着座させる。この時、シャワー機能付き椅子６１のシャワーアーム３０Ａは下方に下げておく。上方に跳ね上げておく。
（３）入浴者を着座させたら、下部囲い５３の開閉部５３ｗを閉じ、シャワーアーム３０Ａを上方に跳ね上げる。
（４）シャワー機能付き椅子６１の上方から、上部囲い５２を被せる。この際には、上部囲い５２の開口部５４から入浴者の首から上の部分が出るようにする。
（５）上部囲い５２の下端が下部囲い５３の上端よりも低い位置にあること、及び下部囲い５３の上方開口部が上部囲い５２によって完全に覆われていることを確認する。
（６）シャワー機能付き椅子６１のシャワー機能を動作させ、入浴者の温浴を開始する。
（７）温浴終了後は、上部囲い５２を取り去り、シャワー機能付き椅子６１のシャワーアーム３０Ａを下方に引き下げ、下部囲い５３の開閉部５３ｗを開いて、介助者をシャワー機能付き椅子６１から離脱させる。
【００５６】
本発明のシャワー装置は、全身への温浴効果を高めることができ、入浴が困難な被介助者の生活の質の向上に貢献できる。
本発明のシャワー装置は、シャワーの温水が囲いの外に飛び散らないので、介助者が温水で濡れることを防ぎ、介助者の労働環境の改善に貢献できる。
本発明のシャワー装置は、被解除者の首から下の部分とシャワー機能付き椅子の全体を囲いで覆うので、被介助者のプライバシーの尊重に貢献できる。
本発明のシャワー装置は、上下分割された囲いとシャワー機能付き椅子から構成されるので、洗浄及び乾燥が容易であり、狭い浴室内でも取り回しがよく、メンテナンス性に優れる。
【符号の説明】
【００５７】
５１，１５１  囲い
５２    上部囲い
５２ａ  上部囲いの下端部
５３，１５３  下部囲い
５３ａ，１５３ａ  下部囲いの下端部
５３ｂ，１５３ｂ  下部囲いの上端部
５３ｃ，１５３ｃ  下部囲いの上方開口部
５３ｗ  開閉部
５４    開口部
６１，１６１  シャワー機能付き椅子
７１      床面
８１      部材
８２      支持部材
１０１      シャワー装置
【図１】
2020199031.tif 000003
【図２】
2020199031.tif 000004
【図３】
2020199031.tif 000005
【図４】
2020199031.tif 000006
【図５】
2020199031.tif 000007